(57)【特許請求の範囲】
【請求項１】
リムレスメガネ（１）の少なくとも１つのメガネレンズ（２，２’）に、メガネフレーム（３）の少なくとも１つのテンプル（３．１，３．２）、エンドピース（３．６，３．７）および／またはブリッジ（３．３）を直接固定するための装置であって、
前記少なくとも１つのメガネレンズ（２，２’）は少なくとも１つの縁部側の切欠部（５，５’，５”，５”’）を有しており、当該切欠部は前記メガネレンズ（２，２’）の横軸（ＱＡ）に沿って延在している、装置において、
前記縁部側の切欠部（５，５’，５”，５”’）にはプラスチック材料から作製されている固定本体（６，６’，６”，６”’）が形状的に結合して受け入れられており、かつ前記メガネレンズ（２，２’）と緊結に接着されており、
前記固定本体（６，６’，６”，６”’）は、前記横軸（ＱＡ）に沿って延在するスリーブ状の収容チャネル（７）を有しており、
前記メガネフレーム（３）のテンプル（３．１，３．２）、エンドピース（３．６，３．７）および／またはブリッジ（３．３）は、少なくとも１つのプラグ状の接続部分（８）を有しており、
前記プラグ状の接続部分（８）は、前記テンプル（３．１，３．２）、前記エンドピース（３．６，３．７）および／または前記ブリッジ（３．３）の少なくとも１つの自由端部分によって形成されており、扁平な金属のベルト材料から作製されており、ロック式差込接続として構成されている解離可能な差込接続を形成するために前記スリーブ状の収容チャネル（７）に挿入可能である、ことを特徴とする装置。
【請求項２】
前記固定本体（６，６’，６”，６”’）は、少なくとも部分的に透明なプラスチック材料から作製されている、ことを特徴とする請求項１に記載の装置。
【請求項３】
前記縁部側の切欠部（５，５’，５”，５”’）は、Ｕ字形またはＶ字形の断面を有している、ことを特徴とする請求項１または２に記載の装置。
【請求項４】
前記固定本体（６，６’，６”，６”’）の外側形状は、前記縁部側の切欠部（５，５’，５”，５”’）の形状に適合されている、ことを特徴とする請求項３に記載の装置。
【請求項５】
前記縁部側の切欠部（５，５’，５”，５”’）に取り付けられる前記固定本体（６，６’，６”，６”’）は、前記メガネレンズ（２，２’）と面一に接着されている、ことを特徴とする請求項１から３のいずれか一項に記載の装置。
【請求項６】
前記縁部側の切欠部（５，５’，５”，５”’）は、前記横軸（ＱＡ）に対して垂直で、かつ前記メガネレンズ（２，２’）を受け入れるレンズ面（Ｅ）に対して垂直な軸に沿って次第に細くなる、ことを特徴とする請求項１から５のいずれか一項に記載の装置。
【請求項７】
前記スリーブ状の収容チャネル（７）は、前記横軸（ＱＡ）に沿って次第に細くなる、ことを特徴とする請求項１から６のいずれか一項に記載の装置。
【請求項８】
前記プラグ状の接続部分（８）は、金属合金から作製されている、ことを特徴とする請求項１から７のいずれか一項に記載の装置。
【請求項９】
前記プラグ状の接続部分（８）は、少なくとも１つのノーズ部分（８’，８”）を有している、ことを特徴とする請求項１から８のいずれか一項に記載の装置。
【請求項１０】
前記固定本体（６，６’，６”，６”’）は、前記スリーブ状の収容チャネル（７）に接続される孔部（９）および／または少なくとも１つの半球形の切欠部（９’）を、前記ノーズ部分（８’，８”）を少なくとも部分的に受け入れるために有している、ことを特徴とする請求項９に記載の装置。
【請求項１１】
前記孔部（９）は、ネジ手段を受け入れるための内ネジを有している、ことを特徴とする請求項１０に記載の装置。
【請求項１２】
前記縁部側の切欠部（５，５’，５”，５”’）は、前記メガネレンズ（２，２’）の少なくとも表側（２ａ）に向かって開放しており、少なくとも前記メガネレンズ（２，２’）の厚さ（Ｓ）の一部にわたって前記表側（２ａ）から裏側（２ｂ）の方向に延在している、ことを特徴とする請求項１から１１のいずれか一項に記載の装置。
【請求項１３】
前記縁部側の切欠部（５，５’，５”，５”’）は、前記メガネレンズ（２，２’）の裏側（２ｂ）に向かっても開放しており、前記メガネレンズ（２，２’）の全厚（Ｓ）にわたって延在している、ことを特徴とする請求項１２に記載の装置。
【請求項１４】
前記プラグ状の接続部分（８）は、キャップ状の接続エレメント（１０）によって形成されており、当該キャップ状の接続エレメントは、それぞれのテンプル（３．１，３．２）ないしそれぞれのエンドピース（３．６，３．７）の自由端部に、および／または前記ブリッジ（３．３）の両自由端部に差し込むことができる、ことを特徴とする請求項１から１３のいずれか一項に記載の装置。
【請求項１５】
リムレスメガネ（１）の少なくとも１つのメガネレンズ（２，２’）に、メガネフレーム（３）の少なくとも１つのテンプル（３．１，３．２）、エンドピース（３．６，３．７）および／またはブリッジ（３．３）を直接固定するための方法であって、
前記少なくとも１つのメガネレンズ（２，２’）に少なくとも１つの縁部側の切欠部（５，５’，５”，５”’）が取り付けられ、当該切欠部は前記メガネレンズ（２，２’）の横軸（ＱＡ）に沿って延在する、方法において、
前記縁部側の切欠部（５，５’，５”，５”’）にプラスチック材料から作製されている固定本体（６，６’，６”，６”’）を形状的に結合して取り付け、かつ前記メガネレンズ（２，２’）と緊結に接着し、
ここで前記固定本体（６，６’，６”，６”’）は、前記横軸（ＱＡ）に沿って延在するスリーブ状の収容チャネル（７）を有しており、
前記メガネフレーム（３）のテンプル（３．１，３．２）、エンドピース（３．６，３．７）および／またはブリッジ（３．３）は、少なくとも１つのプラグ状の接続部分（８）を有しており、
前記プラグ状の接続部分（８）は、前記テンプル（３．１，３．２）、前記エンドピース（３．６，３．７）および／または前記ブリッジ（３．３）の少なくとも１つの自由端部分によって形成されており、扁平な金属のベルト材料から作製されており、
ロック式差込接続として構成されている解離可能な差込接続を形成するために、前記プラグ状の接続部分（８）を前記スリーブ状の収容チャネル（７）に挿入する、ことを特徴とする方法。
【請求項１６】
前記縁部側の切欠部（５，５’，５”，５”’）に形状的に結合して取り付けられる固定本体（６，６’，６”，６”’）は、前記メガネレンズ（２，２’）と面一に接着される、ことを特徴とする請求項１５に記載の方法。
【発明の詳細な説明】
【技術分野】
【０００１】
本発明は、請求項１の上位概念による、リムレスメガネのメガネレンズに、メガネフレームの少なくとも１つのテンプル、エンドピースおよび／またはブリッジを直接固定するための装置、および請求項１７の上位概念による所属の装置に関する。
【背景技術】
【０００２】
従来技術からすでに、リム枠の無いメガネが公知であり、いわゆるリムレスメガネが広く知られている。この種のリムレスメガネは、通常、１つのメガネフレームを含む複数のメガネフレーム部材を有しており、好ましくは２つのメガネレンズを鼻領域で接続するための１つのブリッジおよび２つのメガネテンプルを有する。ここでメガネテンプルはリムレスメガネのメガネレンズに直接、または丁番エレメントとエンドピースを介して接続されている。ここで公知のリムレスメガネでは、ブリッジの両自由端部またはブリッジないしエンドピースの１つの自由端部がメガネレンズに直接固定される。すなわちそれぞれメガネフレーム部材に固定されたピンエレメントを用いて直接固定され、このピンエレメントは、メガネレンズにある孔部を通して案内され、対向する側でロック手段を用いてメガネレンズに張架される。
【０００３】
メガネフレーム部材をリムレスメガネのメガネレンズに、このように直接固定する場合には、メガネフレームに不所望の力が作用するときにメガネレンズの損傷がしばしば引き起こされ、欠点である。メガネレンズを通って横方向に延在する孔部がピンエレメントを受け入れるため、力が実質的にピンポイントでメガネレンズに導かれ、それにより損傷が引き起こされ得、とりわけ孔部領域でメガネレンズの縁部側の破壊が生じることがある。
【発明の概要】
【発明が解決しようとする課題】
【０００４】
ここから出発して本発明の基礎とする課題は、リムレスメガネの少なくとも１つのメガネレンズに、メガネフレームの少なくとも１つのテンプル、エンドピースおよび／またはブリッジを直接固定する装置を提示することであり、この装置は、従来技術から知られる欠点を除去し、とりわけ、リムレスメガネの少なくとも１つのメガネレンズにメガネフレーム部材を、理想的に最少の要素で、かつ非常に安定して接続することを可能にする。さらに本発明の対象は、請求項１７による、リムレスメガネの少なくとも１つのメガネレンズに、メガネフレームの少なくとも１つのテンプル、エンドピースおよび／またはブリッジを直接固定するための方法である。
【課題を解決するための手段】
【０００５】
本発明による、リムレスメガネの少なくとも１つのメガネレンズに、メガネフレームの少なくとも１つのテンプル、エンドピースおよび／またはブリッジを直接固定するための装置の重要な側面は、縁部側の切欠部には固定本体が形状的に結合して受け入れられており、かつメガネレンズと緊結に接続されており、前記固定本体は、横軸に沿って延在するスリーブ状の収容チャネルを有しており、前記メガネフレームのテンプル、エンドピースおよび／またはブリッジは少なくとも１つのプラグ状の接続部分を有しており、当該接続部分は、解離可能な差込接続を形成するために前記スリーブ状の収容チャネルに挿入可能である、ことである。
【０００６】
特に有利には、接続スリーブを形成する固定本体をメガネレンズの切欠部に形状的に結合して取り付けることにより、迅速かつ簡単に、メガネフレーム部材をリムレスメガネのメガネレンズに直接固定することができる。前記固定本体と所属のメガネフレーム部材は、好ましくは機械的にあらかじめ作製され、したがって眼鏡士は現場で、大きな技術的および手作業的な労力無しでこれらを使用することができる。さらに有利には、それぞれのメガネフレーム部材を、固定本体を介してリムレスメガネのメガネレンズに扁平に接続することにより、不所望の力が作用した場合におけるメガネレンズの損傷の危険性が格段に低減される。最後に、解離可能な差込接続であるので、異なるデザインのメガネフレームであっても同じメガネレンズに対して使用することができ、したがってメガネ着用者は、例えば自分のメガネフレームの色および形状を、自分の目下の必要性に適合することができる。
【０００７】
切欠部における固定本体の形状的に結合した受け入れとは、固定本体が、メガネレンズの横軸に沿って延在する切欠部に形状的に結合して係合しており、これによりメガネレンズ面での固定本体の運動がメガネレンズの横軸に対して垂直方向には阻止されることであると理解される。好ましくは固定本体の幅の少なくとも三分の一が、切欠部に形状的に結合して受け入れられている。
【０００８】
さらに有利には固定本体は、プラスチック、金属またはプラスチックと金属の組み合わせから作製されており、好ましくは少なくとも部分的に透明なプラスチック材料から作製されている。固定本体が透明に構成されている場合、リムレスメガネのメガネレンズへのメガネフレームの接続部は、視覚的にもはやほとんど認識されず、これによりリムレスメガネに対して最少の要素での直接的な固定が得られる。これによりメガネレンズの外側輪郭がメガネフレームの固定によって中断されず、維持される。
【０００９】
好ましくは縁部側の切欠部は、Ｕ字形またはＶ字形の断面を有しており、横軸に対して垂直の軸に沿って、かつメガネレンズを受け入れるレンズ面に対して垂直に円錐形に延在する。これにより、リムレスメガネの少なくとも１つのメガネレンズへのメガネフレーム部材の特に安定した接続が得られる。
【００１０】
さらに有利には、固定本体の外側形状は、縁部側の切欠部の形状に適合されており、縁部側の切欠部に取り付けられる固定本体はメガネレンズと面一に接続されており、好ましくは接着されている。これによりメガネレンズにある切欠部は完全に閉鎖され、面一のメガネレンズ表面が得られる。
【００１１】
好ましい一変形実施形態では、スリーブ状の収容チャネルは、横軸に沿って円錐形に延在しており、プラグ状の接続部分は、メガネフレームのテンプル、エンドピースおよび／またはブリッジの少なくとも１つの自由端部分によって形成されており、ここで前記プラグ状の接続部分は、扁平なベルト材料、好ましくは金属または金属合金から作製されている。プラグ状の接続部分がスリーブ状の収容チャネル内で円錐形に案内されることで、解離可能な差込接続をとりわけユーザーフレンドリーに作製することができる。
【００１２】
さらに有利には、解離可能な差込接続はロック式差込接続として構成されている。そのためにプラグ状の接続部分はノーズ部分を有しており、固定本体は、スリーブ状の収容チャネルと接続された孔部および／またはこのノーズ部分を少なくとも部分的に受け入れるための半球形の切欠部を有している。さらに有利には、前記孔部は、ネジ手段を受け入れるための内ネジを有することができる。
【００１３】
特に有利には縁部側の切欠部は、メガネレンズの少なくとも表側に向かって開放しており、メガネレンズの厚さの少なくとも一部にわたって表側から裏側の方向に延在している。厚さの薄いレンズの場合、縁部側の切欠部は、メガネレンズの裏側に向かっても付加的に開放することができ、メガネレンズの全厚にわたって延在する。
【００１４】
同様に有利な一変形実施形態では、プラグ状の接続部分は、キャップ状の接続エレメントによって形成することができ、この接続エレメントは、それぞれのテンプルないしそれぞれのエンドピースの自由端部に、および／またはブリッジの両自由端部に差し込むことができる。これにより有利には、既存のメガネテンプルであっても、本発明の差込接続システムを後から装備することができる。
【００１５】
さらに本発明の対象は、リムレスメガネの少なくとも１つのメガネレンズに、メガネフレームの少なくとも１つのテンプル、エンドピースおよび／またはブリッジを直接固定するための方法であり、この方法では、少なくとも１つのメガネレンズに少なくても１つの縁部側の切欠部が取り付けられ、この切欠部はメガネレンズの横軸に沿って延在する。本発明の方法の主要な側面は、縁部側の切欠部に固体本体を形状的に結合して取り付け、かつメガネレンズと緊密に接続し、ここで前記固定本体は、横軸に沿って延在するスリーブ状の収容チャネルを有しており、
前記メガネフレームのテンプル、エンドピースおよび／またはブリッジは、少なくとも１つのプラグ状の接続部分を有しており、解離可能な差込接続を形成するために、前記プラグ状の接続部分を前記スリーブ状の収容チャネルに挿入する、ことである。これによりメガネフレームをリムレスメガネのメガネレンズに、特に簡単かつ迅速に直接取り付けることができる。
【００１６】
特に有利には、縁部側の切欠部に形状的に結合して取り付けられる固体本体は、メガネレンズと面一に接続され、好ましくは接着される。
【００１７】
「近似的」、「実質的」または「ほぼ」の表現は、本発明では、それぞれ正確な値から±１０％、好ましくは±５％の偏差、および／または機能に対して意味の無い変化の形態での偏差を意味する。
【００１８】
本発明の発展形態、利点および適用可能性は、実施例の以下の説明および図面からも得られる。ここで、記述されたおよび／または図に示された全ての特徴は、それ自体でもまたは任意の組み合わせでも基本的に本発明の対象であり、請求項またはそれらの引用関係における発明の概要には依存しない。特許請求の範囲の内容は、明細書の構成部分でもある。
【００１９】
本発明を以下、図面に基づき実施例について詳細に説明する。
【図面の簡単な説明】
【００２０】
【図１】ワンピースに構成されたメガネテンプルを備える本発明のリムレスメガネの簡素化した正面図である。
【図２】１つの丁番エレメントおよびそれぞれ１つのエンドピースを介してメガネレンズと接続されたメガネテンプルを有する本発明のリムレスメガネの簡素化した正面図である。
【図３】図１によるリムレスメガネのメガネレンズの表側の部分拡大図である。
【図４】図１によるリムレスメガネのメガネレンズの裏側の部分拡大図である。
【図５】図３によるメガネレンズの接続部分のラインＩ−Ｉに沿った断面図である。
【図６】固定本体の第１変形実施形態の縦断面図である。
【図７】固定本体の第２変形実施形態の縦断面図である。
【図８】（ａ）〜（ｄ）は、メガネフレーム部材、とりわけメガネテンプルのプラグ状の接続部分の種々の変形実施形態を示す図である。
【図９】択一的一変形実施形態における図１によるリムレスメガネのメガネレンズの表側の部分拡大図である。
【図１０】図３によるメガネレンズの接続部分のラインＩ−Ｉに沿った断面図であり、ここでは縁部側の切欠部がメガネレンズの厚さに沿って部分的にだけ延在している。
【図１１】図９による変形実施形態で使用するためのメガネフレーム部材、とりわけメガネテンプルのプラグ状の接続部分の一変形実施形態を示す図である。
【図１２】キャップ状の接続エレメントを備えるプラグ状の接続部分の択一的一変形実施形態を示す図である。
【発明を実施するための形態】
【００２１】
図１と２は、２つのメガネレンズ２，２’と複数の部材を含む１つのメガネフレーム３とから成るリムレスメガネの概略的正面をそれぞれ例として示す。
【００２２】
例えば図１に示されたメガネフレーム３は、第１および第２のテンプル３．１，３．２およびブリッジ３．３を有し、ここでブリッジ３．３には、メガネ着用者の鼻にリムレスメガネ１を載せるために、好ましくは２つのノーズパッド４，４’が設けられている。したがって、それぞれのテンプル３．１，３．２の自由端部は、メガネレンズ２，２’と直接接続されている。
【００２３】
図２の変形実施形態では、第１と第２のテンプル３．１，３．２の自由端部がメガネレンズ２，２’と直接接続されておらず、第１と第２の丁番エレメント３．４，３．５を介し、第１と第２のエンドピース３．６，３．７によって接続されている。これにより本実施例では、第１のテンプル３．１が第１の丁番３．４を介して第１のエンドピース３．６とヒンジ接続されており、第１のエンドピースの自由端部は、正面図で見てリムレスメガネ１の左メガネレンズ２の左外側縁部に直接接続されている。これと同じように、第２のテンプル３．２は第２の丁番エレメント３．５を介して第２のエンドピース３．７とヒンジ接続されており、第２のエンドピースの自由端部は、正面図で見てリムレスメガネ１の右メガネレンズ２’の右外側縁部に直接接続されている。
【００２４】
本発明は、図１と２に示されたメガネフレーム３の実施形態に決して制限されるものではなく、リムレスメガネ１のメガネレンズ２，２’に、メガネフレーム３の部材の自由端によって直接固定するのに適したメガネフレーム３の部材の全ての変形実施形態を含むものである。
【００２５】
本発明によれば、メガネレンズ２，２’は少なくとも１つの縁部側の切欠部５，５’，５”，５”’を有する。本実施例では、１つのメガネレンズ２，２’にそれぞれ２つの縁部側の切欠部５，５’，５”，５”’が、メガネレンズ２，２’の対向する側方縁部部分に設けられており、これによりブリッジ３．３も、第１と第２のテンプル３．１，３．２ないし第１と第２のエンドピース３．６，３．７もメガネレンズ２，２’に直接固定することができる。
【００２６】
縁部側の切欠部５，５’，５”，５”’は、リムレスメガネ１の横軸ＱＡに沿って、好ましくはメガネレンズ２，２’の全厚Ｓにわたって延在している。すなわち、メガネレンズ２，２’の表側２ａから裏側２ｂに延在している。ここで横軸ＱＡは、メガネレンズ２，２’を受け入れるレンズ面Ｅ内に延在している。厚さＳの厚いメガネレンズでは、縁部側の切欠部５，５’，５”，５”’が、メガネレンズ２，２’の少なくとも表側２ａに向かって開放しており、図１０に示された変形実施形態によれば、メガネレンズ２，２’の厚さＳの少なくとも一部にわたって表側２ａから裏側２ｂの方向に延在している。
【００２７】
図５に示された変形実施形態では、縁部側の切欠部５，５’，５”，５”’が、メガネレンズ２，２’の裏側２ｂに向かっても付加的に開放しており、したがってメガネレンズ２，２’の全厚Ｓにわたって延在している。これにより、縁部側で開放しており、一次視野の外に存在する連続した開口部が、メガネレンズ２，２’内に形成される。好ましくは縁部側の切欠部５，５’，５”，５”’は、それぞれ同じ断面形状を有しており、Ｕ字形またはＶ字形または台形の断面を有する。
【００２８】
縁部側の切欠部５，５’，５”，５”’は、本発明によれば、固定本体６，６’，６”，６”’を形状結合して受け入れるように構成されている。縁部側の切欠部５，５’，５”，５”’に形状的に結合して受け入れられる固定本体６，６’，６”，６”’は、メガネレンズと緊結に接続されており、好ましくはこれと接着または溶接されている。ここで固定本体６，６’，６”，６”’はメガネレンズ２，２’のそれぞれの縁部側の切欠部５，５’，５”，５”’に、固定本体６，６’，６”，６”’の外側に向けられた表面と、これに接続されていて縁部側の切欠部５，５’，５”，５”’を取り囲むそれぞれのメガネレンズ２，２’の表面との間に面一の移行部が形成されるように取り付けられる。したがって固定本体６，６’，６”，６”’は、好ましい一変形実施形態では、それぞれの切欠部５，５’，５”，５”’を完全に満たし、これにより閉じた縁部経過を備えるメガネレンズ２，２’が得られる。したがって少なくとも固定本体６，６’，６”，６”’は縁部側の切欠部５，５’，５”，５”’に、この固定本体がメガネレンズ２の表側２ａと面一にまたは近似的に面一に延在するように受け入れられている。
【００２９】
固定本体６，６’，６”，６”’は、例えば金属、プラスチックまたは金属とプラスチックの組み合わせから作製されている。好ましい一変形実施形態では、少なくとも部分的に透明なプラスチック材料が使用される。完全に透明なプラスチック材料の場合、レンズ表面が閉鎖されている視覚的印象が、とりわけメガネレンズ２，２’の切欠部５，５’，５”，５”’の領域に生じる。
【００３０】
図３と４には例えばそれぞれ部分拡大図に、図１と図２によるメガネレンズ２の表側２ａと裏側２ｂの側方固定領域の正面図が示されている。このメガネレンズでは１つの縁部側の切欠部５にすでに固定本体６が受け入れられている。ここで形状的に結合して互いに隣接する固定本体６の表面部分は、メガネレンズの縁部側の切欠部５の内面と互いに接着されている。
【００３１】
図５は、図３によるメガネレンズ２の、切欠部５を有する固定領域を、軸Ｉ−Ｉに沿った断面で示す。メガネ着用者とは反対の側であるメガネレンズ２の表側２ａと、メガネ着用者に向いた側であるメガネレンズ２の裏側２ｂとは、ここでは縁部側の切欠部５の異なる開口幅を有する。すなわち表側２ａにおける切欠部５の開口幅Ｗａは、メガネレンズ２の裏側２ｂにおける切欠部５の開口幅Ｗｂよりも大きい。これにより切欠部５は、横軸ＱＡとレンズ面Ｅに対して垂直の軸に沿って円錐形に延在する。固定本体６の上側と下側は相応に適合されており、したがってこれらの側も同様に円錐形に延在する。
【００３２】
図６と７には例としてそれぞれ、固定本体６の２つの変形実施形態の縦断面図が示されている。固定本体６には、本発明によれば、横軸ＱＡに沿って延在するスリーブ状の収容チャネル７が設けられている。この収容チャネルは、メガネフレーム３のテンプル３．１，３．２、エンドピース３．６，３．７および／またはブリッジ３．３の少なくとも１つのプラグ状の接続部分７との解離可能な差込接続を形成するように構成されている。さらにメガネフレーム３のテンプル３．１，３．２、エンドピース３．６，３．７および／またはブリッジ３．３のプラグ状の接続部分８は、縁部側の開口部を介してこのスリーブ状の収容チャネル７に挿入可能である。
【００３３】
スリーブ状の収容チャネル７は、その形状および寸法に関してはプラグ状の接続部分８に適合されており、この接続部分は、好ましくはメガネフレーム３のテンプル３．１，３．２、エンドピース３．６，３．７および／またはブリッジ３の自由端部分により形成される。スリーブ状の収容チャネル７は、好ましくは横軸ＱＡに沿って、および／または横軸ＱＡとレンズ面Ｅに対して垂直に延在する軸に沿って円錐形に延在しており、これによりプラグ状の接続部分８をスリーブ状の収容チャネル７に容易に挿入することが保証される。ここでスリーブ状の収容チャネル７は、実質的に長手の形状を有する。
【００３４】
ロック式差込接続を形成するために、横軸ＱＡおよびレンズ面Ｅに対して垂直に延在する孔部９（図６）または半球形の切欠部９’（図７）を固定本体６内に設けることができる。これらは、スリーブ状の収容チャネル７からメガネレンズ２の裏側２ｂないし表側２ａに向かって延在する。孔部９ないし半球形の切欠部９’は、プラグ状の接続部分８に設けられた側方に起立するノーズ部分８’を受け入れるために設けられている。プラグ状の接続部分８をスリーブ状の収容チャネル７に完全に挿入した後、プラグ状の接続部分８のノーズ部分８’は少なくとも部分的に孔部９または半球形の切欠部９’に噛み合い、これにより差込接続の不所望の解離を阻止する。所定の引張力を印加する場合にだけ、前記ロック式差込接続を再び解離することができる。
【００３５】
図８の（ａ）から（ｄ）には、ノーズ部分８’を有するこの種のプラグ状の接続部分８の４つの異なる実施形態が、テンプル３．１の自由端部について示されている。プラグ状の接続部分８は好ましくは、扁平なベルト材料、好ましくは金属または金属合金から作製されており、プラグ状の接続部分にはノーズ部分８’を形成するために半球形の撓み部が取り付けられている。択一的にノーズ部分８’は、半球形の材料部分を取り付け、ベルト状の材料と緊密に接続することによって形成することができる。ノーズ部分８’は、メガネレンズの表側２ａまたは裏側２ｂの方向に、通常は実質的に平坦にまたは直線状に延在するプラグ状の接続部分８から側方に離れるように突き出ることができる。
【００３６】
さらなる一変形実施形態では、孔部９が内ネジを有し、この内ネジを介してネジ手段を孔部９にねじ込むことができる。これによりスリーブ状の収容チャネル７および固定本体６，６’，６”，６”’におけるプラグ状の接続部分８の付加的な確保が保証される。
【００３７】
図９によるさらなる一変形実施形態では、例えば２つの半球形の切欠部９’を設けることもできる。これらの切欠部はレンズ面Ｅ内にまたはレンズ面Ｅに対して平行に延在する。図１１と１２は、図９による固定本体６の変形実施形態との差込接続を形成するために２つのノーズ部分８’，８”を有するプラグ状の接続部分８のさらなる変形実施形態を示す。プラグ状の接続部分８は、ここでも好ましくは扁平なベルト材料、好ましくは金属または金属合金から作製されており、２つのノーズ部分８’，８”は、半球形の材料部分を取り付け、ベルト状の材料と緊結に接続することによって形成されている。したがってノーズ部分８’，８”は、テンプル上側および下側に向かって延在している。
【００３８】
択一的な一変形実施形態では、プラグ状の接続部分８はキャップ状の接続エレメント１０によって形成されている。このキャップ状の接続エレメントは、それぞれのテンプル３．１，３．２ないしそれぞれのエンドピース３．６，３．７の自由端部に、および／またはブリッジ３．３の両自由端部に差し込むことができる。好ましくはキャップ状の接続エレメント１０は、プラスチック部材、とりわけプラスチック射出成形部材として構成されており、前記自由端部を受け入れるために内部収容チャネル１０．１を有する。キャップ状の接続エレメント１０の外部形状は、固定本体６，６’，６”，６”’のスリーブ状の収容チャネル７の内部形状に適合されており、例えば側方に離れるように突き出る２つのノーズ部分８’，８”を形成する。さらにそれぞれのテンプル３．１，３．２ないしそれぞれのエンドピース３．６，３．７の自由端部および／またはブリッジ３．３の両自由端に確保手段を設けることができる。この確保手段は、キャップ状の接続エレメント１０が自由端部から不所望に引き離されないように確保する。このことは例えば、自由端部の外側表面を少なくとも部分的に鉤状に表面加工することによって実現することができる。
【００３９】
本発明を、上記のように実施例について説明した。本発明の基礎となる発明の思想を逸脱することなしに、多数の変形および変更が可能であることが理解される。
【符号の説明】
【００４０】
１  リムレスメガネ
２，２’  メガネ着用者
２ａ  表側
２ｂ  裏側
３  メガネフレーム
３．１  第１のテンプル
３．２  第２のテンプル
３．３  ブリッジ
３．４  第１の丁番エレメント
３．５  第２の丁番エレメント
３．６  第１のエンドピース
３．７  第２のエンドピース
４，４’  ノーズパッド
５，５’，５”，５”’  縁部側の切欠部
６，６’，６”，６”’  固定本体
７  スリーブ状の収容チャネル
８  プラグ状の接続部分
８’，８”  ノーズ部分
９  孔部
９’  半球形の切欠部
１０  キャップ状の接続エレメント
１０．１  内部収容チャネル
ＱＡ  横軸
Ｅ  レンズ面
Ｓ  レンズの厚さ
Ｗａ  表側の開口幅
Ｗｂ  裏側の開口幅
【図１】
0006296363.tif 000002
【図２】
0006296363.tif 000003
【図３】
0006296363.tif 000004
【図４】
0006296363.tif 000005
【図５】
0006296363.tif 000006
【図６】
0006296363.tif 000007
【図７】
0006296363.tif 000008
【図８（ａ）】
0006296363.tif 000009
【図８（ｂ）】
0006296363.tif 000010
【図８（ｃ）】
0006296363.tif 000011
【図８（ｄ）】
0006296363.tif 000012
【図９】
0006296363.tif 000013
【図１０】
0006296363.tif 000014
【図１１】
0006296363.tif 000015
【図１２】
0006296363.tif 000016